(57)【要約】【課題】詰め替え作業時の詰め替え容器の閉塞を容易に解除することができ、詰め替え容器の閉塞解除状態を確実に維持することができる注出口体及び詰め替え容器を提供する。【解決手段】内側筒部３の外側に空隙を介して外側筒部４を設ける。内側筒部３と外側筒部４との間に移動部５を設ける。移動部５の内側に破断可能部８及びヒンジ部７を介して内側筒部３の開口端を閉塞するための栓部６を設ける。移動部５は、内側筒部３と外側筒部４とに摺動可能に接している。内側筒部３の外面と外側筒部４の内面との距離は、栓部６が内側筒部３の先端側の開口を閉塞しているときの移動部５が接する位置より、破断可能部８が破断されて栓部６が内側筒部３の先端側の開口を開放しているときに移動部５が接する位置の方が小となっている。【選択図】図１
2019018913.tif 000002
【特許請求の範囲】
【請求項１】
詰め替え容器に設けられており、該詰め替え容器内の内容物を充填する被充填容器の注入口に接続可能とされた注出口体であって、
基端側が前記詰め替え容器に連結され、先端側が開口されて該詰め替え容器の内部に連通する内側筒部と、
該内側筒部の外面を空隙を介して覆う外側筒部と、
前記被充填容器の注入口に差し込み可能とされ、前記内側筒部と前記外側筒部との間を前記内側筒部の軸線に沿って移動自在に設けられた移動部と、
該移動部の内側に破断可能部を介して設けられていて前記内側筒部の先端側の開口を閉塞すると共に、前記移動部の移動により前記破断可能部が破断されて前記内側筒部の先端側の開口から離脱したときに、ヒンジ部を介して前記移動部への連結状態が維持される栓部とを備え、
前記移動部は、前記内側筒部の外面と前記外側筒部の内面とに摺動可能に接しており、
前記内側筒部の外面と前記外側筒部の内面との距離は、前記栓部が前記内側筒部の先端側の開口を閉塞しているときに前記移動部が接する位置より、前記破断可能部が破断されて栓部が前記内側筒部の先端側の開口を開放しているときに前記移動部が接する位置の方が小であることを特徴とする注出口体。
【請求項２】
前記内側筒部は、その外面に、径方向に凹入する第１凹部と、該第１凹部よりも前記内側筒部の基端部側に位置して該第１凹部に隣接する第２凹部とが形成され、
前記移動部は、その内面に、前記第１凹部と前記第２凹部とに選択的に係止する凸部を備え、
前記第１凹部は、前記栓部が前記内側筒部の先端側の開口を閉塞しているときに前記凸部が係止する位置に形成され、
前記第２凹部は、前記破断可能部が破断されて栓部が前記内側筒部の先端側の開口を開放しているときに前記凸部が係止する位置に形成され、
前記第２凹部の底部と前記外側筒部の内面との間の距離は、前記第１凹部の底部と前記外側筒部の内面との間の距離よりも小とされていることを特徴とする請求項１記載の注出口体。
【請求項３】
請求項１又は２記載の注出口体を備えたことを特徴とする詰め替え容器。
【請求項４】
化粧品又は医薬部外品を内容物とすることを特徴とする請求項３記載の詰め替え容器。
【発明の詳細な説明】
【技術分野】
【０００１】
本発明は、詰め替え容器内の内容物を充填する被充填容器の注入口に接続可能とされた注出口体及び詰め替え容器に関する。
【背景技術】
【０００２】
詰め替え容器に設けられる注出口体として、内容物を使用して空になった容器（被充填容器）の注入口に接続して用いるものが知られている（下記特許文献１参照）。
【０００３】
この注出口体は、詰め替え容器の内容物を導出する内側筒部と、内側筒部の外面を空隙を介して覆う外側筒部とを備えている。内側筒部は、基端側が詰め替え容器に連結され、先端側の開口が栓部によって閉塞されている。栓部は、内側筒部と外側筒部との間を軸線に沿って移動可能となっている移動部に設けられている。
【０００４】
詰め替え容器の内容物を被充填容器に充填するとき、詰め替え容器の注出口体の内側筒部を被充填容器の注入口に差し込む。これにより、移動部が内側筒部の基端側に移動し、これに伴い、内側筒部が栓部を破断する。栓部が破断されたことにより、内側筒部と注入口とが連通し、詰め替え容器の内容物が被充填容器に注入される。このとき、破断された栓部は内側筒部の外面で外側に規制されるので、内側筒部の開口を閉塞する方向に戻ることはない。
【先行技術文献】
【特許文献】
【０００５】
【特許文献１】特開２０１０−８３５４５号公報
【発明の概要】
【発明が解決しようとする課題】
【０００６】
しかし、従来の構成では、栓部を破断するために比較的強い力が必要であることにより、詰め替えの際の作業性が劣るものであった。
【０００７】
そこで、内側筒部と外側筒部との間の距離を大きくして、移動部の移動時の抵抗を小さくすることが考えられる。これによれば、移動部が容易に移動するので、栓部を破断する際の作業性を向上させることができる。
【０００８】
しかし、移動部の移動時の抵抗が小さい場合には、栓部が破断されて詰め替え容器の内容物を被充填容器に注入しているときにも移動部が不用意に移動するおそれがある。そして、移動部が内側筒部の先端側に移動した場合には、内側筒部の外面による破断された栓部の規制が不十分となり、破断された栓部が内側筒部を閉塞する方向に動いた場合には、被充填容器に注入されている内容物の円滑な流動が阻害されるおそれがある。
【０００９】
上記の点に鑑み、本発明は、詰め替え作業時の詰め替え容器の閉塞を容易に解除することができ、詰め替え容器の閉塞解除状態を確実に維持することができる注出口体及び詰め替え容器を提供することを目的とする。
【課題を解決するための手段】
【００１０】
かかる目的を達成するために、本発明は、詰め替え容器に設けられており、該詰め替え容器内の内容物を充填する被充填容器の注入口に接続可能とされた注出口体であって、基端側が前記詰め替え容器に連結され、先端側が開口されて該詰め替え容器の内部に連通する内側筒部と、該内側筒部の外面を空隙を介して覆う外側筒部と、前記被充填容器の注入口に差し込み可能とされ、前記内側筒部と前記外側筒部との間を前記内側筒部の軸線に沿って移動自在に設けられた移動部と、該移動部の内側に破断可能部を介して設けられていて前記内側筒部の先端側の開口を閉塞すると共に、前記移動部の移動により前記破断可能部が破断されて前記内側筒部の先端側の開口から離脱したときに、ヒンジ部を介して前記移動部への連結状態が維持される栓部とを備え、前記移動部は、前記内側筒部の外面と前記外側筒部の内面とに摺動可能に接しており、前記内側筒部の外面と前記外側筒部の内面との距離は、前記栓部が前記内側筒部の先端側の開口を閉塞しているときに前記移動部が接する位置より、前記破断可能部が破断されて栓部が前記内側筒部の先端側の開口を開放しているときに前記移動部が接する位置の方が小であることを特徴とする。
【００１１】
本発明によれば、内側筒部の先端側の開口を開放しているときの移動部は、間の距離が小さい内側筒部の外面と外側筒部の内面とに強く接するので、開口の解放状態を確実に維持することができる。また、栓部が内側筒部の先端側の開口を閉塞しているときには、移動部への内側筒部の外面と外側筒部の内面との接触が比較的弱いので、移動部が移動するときの抵抗が小さく、破断可能部の破断が容易となる。
【００１２】
また、本発明における好ましい態様として、前記内側筒部は、その外面に、径方向に凹入する第１凹部と、該第１凹部よりも前記内側筒部の基端部側に位置して該第１凹部に隣接する第２凹部とが形成され、前記移動部は、その内面に、前記第１凹部と前記第２凹部とに選択的に係止する凸部を備え、前記第１凹部は、前記栓部が前記内側筒部の先端側の開口を閉塞しているときに前記凸部が係止する位置に形成され、前記第２凹部は、前記破断可能部が破断されて栓部が前記内側筒部の先端側の開口を開放しているときに前記凸部が係止する位置に形成され、前記第２凹部の底部と前記外側筒部の内面との間の距離は、前記第１凹部の底部と前記外側筒部の内面との間の距離よりも小とされていることを特徴とする。
【００１３】
これによれば、前記各凹部に前記凸部が係止することにより、前記移動部を所定の位置に確実に保持することができる。
【００１４】
また、本発明は上記発明の注出口体を備える詰め替え容器であり、更に、本発明の詰め替え容器は、その内容物として例えば、液状、ゲル状、半固形状、粉状、粒状等の、化粧品又は医薬部外品に好適に用いることができる。
【図面の簡単な説明】
【００１５】
【図１】本発明の実施形態の注出口体の説明的縦断面図。
【図２】図１の注出口体の平面図。
【図３】本実施形態の注出口体の使用状態を示す説明的断面図。
【発明を実施するための形態】
【００１６】
本発明の一実施形態を図面に基づいて説明する。本実施形態の注出口体１は、図１に示すように、容器口部２に取り付けられる。容器口部２は、フィルム状の材料で形成されたパウチと呼ばれる袋状の詰め替え容器（図示しない）が備えているものである。この詰め替え容器には、その内容物として化粧品又は医薬部外品が充填される。化粧品又は医薬部外品として、液状、ゲル状、半固形状、粉状、粒状等のものが挙げられる。
【００１７】
注出口体１は、内側筒部３と、内側筒部３の外面を空隙を介して覆う外側筒部４と、内側筒部３の外側に嵌め込まれ、内側筒部３の軸線に沿って移動自在の移動部５と、内側筒部３の開口を閉塞する栓部６とを備えている。
【００１８】
栓部６は、図２に示すように、ヒンジ部７と破断可能部８とを介して移動部５と一体に設けられている。破断可能部８が破断されると、栓部６は、ヒンジ部７によって搖動自在となった状態で移動部５との連設状態が維持される。
【００１９】
図１に示すように、内側筒部３は、容器口部２に螺着することにより容器口部２に一体的に支持される円筒状の支持部９と、支持部９の内側に位置して支持部９と同心の円筒状の連通案内部１０とを備えている。
【００２０】
連通案内部１０は、その基端側が容器口部２に連結され、容器口部２を介して容器内部に連通する。連通案内部１０の先端の開口には、破断可能部８（図２参照）が破断されていない状態の栓部６が嵌着されている。栓部６は、破断可能部８が破断されることにより連通案内部１０の先端から離脱して連通案内部１０の先端の開口を開放する。破断可能部８は、移動部５の移動によって破断される。移動部５は、後述する被充填容器１１の注入口１２の先端に押し付けることにより移動する（図３参照）。
【００２１】
図１に示すように、内側筒部３の支持部９の外面には、その周方向に延びて環状の第１凹部１３と、第１凹部１３に対して平行の環状の第２凹部１４とが形成されている。第２凹部１４は、第１凹部１３よりも内側筒部３の基端側に位置し、互いに隣接して形成されている。第１凹部１３に隣接して内側筒部３の先端側に、径方向に突出する環状の第１突出部１５が形成されている。第１凹部１３と第２凹部１４との境界には、径方向に突出する第２突出部１６が形成されている。
【００２２】
図１に示すように、内側筒部３と外側筒部４とは、基端の連結部１７を介して一体に連設されている。外側筒部４は内側筒部３と同心の円筒状に形成されている。更に、外側筒部４は、先端に向かってわずかに拡開する形状とされている。これにより、内側筒部３の外面と外側筒部４の内面との間の距離は、先端側から基端側に向かって次第に小さくなっている。これに伴い、第２凹部１４の底部と外側筒部４の内面との間の距離は、第１凹部１３の底部と外側筒部４の内面との間の距離よりも小とされている。
【００２３】
移動部５は、内側筒部３の外側に装着された円筒状の外嵌筒部１８と、外嵌筒部１８の基端から鍔状に張り出す鍔部１９とを備えている。外嵌筒部１８の内面には径方向内側に向かって突出する凸部２０が形成されている。
【００２４】
移動部５は、内側筒部３の外面と外側筒部４の内面との両方に接した状態で内側筒部３の軸線に沿った方向に移動自在となっている。そして、栓部６が内側筒部３の連通案内部１０に嵌着されている状態においては、凸部２０は、内側筒部３の外面の一部である第１凹部１３に係止されている。このとき、第１凹部１３に係止された凸部２０は第１突出部１５を乗り越えることができない。これにより、内側筒部３からの移動部５の脱落が防止される。一方、鍔部１９は外周端縁が外側筒部４の内面に接しているため、移動部５の移動の際には摺動に伴う抵抗が生じる。
【００２５】
以上の構成による注出口体１は、図３に示すように、被充填容器１１の注入口１２に接続される。即ち、被充填容器１１の注入口１２に内側筒部３と共に移動部５を差し込み、被充填容器１１の注入口１２の先端上縁を移動部５の鍔部１９に当接させる。
【００２６】
そして、注出口体１を被充填容器１１の注入口１２に強く押し付けると、移動部５が内側筒部３の基端側に移動し、移動部５の凸部２０が第２突出部１６を乗り越えて第２凹部１４に係止された状態となる。このときの移動部５の移動により、破断可能部８（図２参照）が破断され、図３に示すように、栓部６が連通案内部１０を開放した状態で内側筒部３の支持部９と被充填容器１１の注入口１２との間に挟持される。
【００２７】
本実施形態においては、第２凹部１４の底部と外側筒部４の内面との間の距離は、前記の底部と前記外側筒部の内面との間の距離よりも小とされている。このため、移動部５の凸部２０が、第１凹部１３に係止されているときよりも第２凹部１４に係止されているときのほうが、摺動抵抗が大きい。これにより、栓部６が連通案内部１０を開放した状態を確実に維持することができる。
【００２８】
一方、移動部５の凸部２０が、第２凹部１４に係止されているときよりも第１凹部１３に係止されているときのほうが、摺動抵抗が小さいので、破断可能部８（図２参照）を破断するために必要な、注出口体１に加える力を軽減することができ、注出口体１を容易に開栓することができる。
【００２９】
このように、上記構成の注出口体１によれば、詰め替え容器の閉塞を容易に解除することができ、詰め替え容器の閉塞解除状態を確実に維持することができる。
【符号の説明】
【００３０】
１…注出口体、３…内側筒部、４…外側筒部、５…移動部、６…栓部、７…ヒンジ部、８…破断可能部、１１…被充填容器、１２…注入口、１３…第１凹部、１４…第２凹部、２０…凸部。
【図１】
2019018913.tif 000003
【図２】
2019018913.tif 000004
【図３】
2019018913.tif 000005